(57)【要約】【課題】本体及び継手を互いに回転可能に接続する抜止片が誤った向きで設けられることを防止することができる吸込具を提供する。【解決手段】吸込具は、吸込具本体７と継手８とを互いに回転可能に接続させる抜止片１９を備える。吸込具本体７の本体円筒部２０は、外周に渡って形成される溝部を有する。継手８の継手円筒部１８は、溝部に対向する貫通孔２２ａを含む孔部２２を有する。抜止片１９は、溝部２１に嵌め込まれた溝嵌合部２７及び孔部２２に嵌め込まれた孔嵌合部２８を有する。孔嵌合部２８は、抜止片１９が誤った向きで設けられることを防止するフランジ部３０を有する。孔部２２には、フランジ部３０が嵌め込まれる空間が形成されている。【選択図】図１３
2017184954.tif 000002
【特許請求の範囲】
【請求項１】
吸込口が形成された本体と、
内部に風路を有する継手と、
前記本体と前記継手とを互いに回転可能に接続させる抜止片と、
を備え、
前記本体は、前記吸込口に連通する第１円筒部を有し、
前記継手は、第２円筒部を有し、
前記第１円筒部及び前記第２円筒部は、一方が他方に挿入されており、
前記一方は、外周に渡って形成される溝部を有し、
前記他方は、前記溝部に対向する貫通孔を含む孔部を有し、
前記抜止片は、前記溝部に嵌め込まれた溝嵌合部及び前記孔部に嵌め込まれた孔嵌合部を有し、
前記孔嵌合部は、前記抜止片が誤った向きで設けられることを防止する逆付防止部を有し、
前記孔部には、前記逆付防止部が嵌め込まれる空間が形成されている吸込具。
【請求項２】
前記逆付防止部は、前記第１円筒部及び前記第２円筒部の軸方向に張り出すように形成されている請求項１に記載の吸込具。
【請求項３】
前記溝嵌合部は、前記孔嵌合部の一端部に連続して形成され、
前記逆付防止部は、前記孔嵌合部の他端部に、前記第１円筒部及び前記第２円筒部の軸方向に沿って両方向に突出するように形成され、
前記他端部は、前記逆付防止部によってＴ字型になっている請求項１に記載の吸込具。
【請求項４】
前記溝嵌合部は、前記孔嵌合部の一端部に連続して形成され、
前記逆付防止部は、前記孔嵌合部の他端部に、前記第１円筒部及び前記第２円筒部の軸方向に沿って一方向に突出するように形成され、
前記他端部は、前記逆付防止部によってＬ字型になっている請求項１に記載の吸込具。
【請求項５】
前記溝嵌合部は、前記孔嵌合部の一端部に連続して形成され、
前記逆付防止部は、前記孔嵌合部の他端部に、前記第１円筒部及び前記第２円筒部の軸方向に向かって円形に広がるように形成され、
前記他端部は、前記逆付防止部によって円形になっている請求項１に記載の吸込具。
【請求項６】
前記孔部は、前記逆付防止部に対向して前記逆付防止部を受ける受部を有し、
前記孔部には、前記受部によって、前記逆付防止部が嵌め込まれる空間から前記貫通孔にかけて段差が形成されている請求項１から請求項５の何れか１項に記載の吸込具。
【請求項７】
前記一方は、前記溝部に連続して形成される回転規制部を有し、
前記溝嵌合部は、前記回転規制部に当たることによって前記本体と前記継手との回転を規制する請求項１から請求項６の何れか１項に記載の吸込具。
【請求項８】
請求項１から請求項７の何れか１項に記載の吸込具及び掃除機本体を備える電気掃除機。
【発明の詳細な説明】
【技術分野】
【０００１】
本発明は、吸込具及びこの吸込具を備えた電気掃除機に関する。
【背景技術】
【０００２】
特許文献１に、電気掃除機の吸込口本体に対して接続管を抜け止めする構造の従来技術が記載されている。この従来技術において吸込口本体及び接続管は、それぞれ円筒形状部を有する。接続管の円筒形状部は、吸込口本体の円筒形状部の外周側に位置する。吸込口本体の円筒形状部の外周面には、周方向に渡る凹溝が形成される。接続管の円筒形状部には、この凹溝に対向する貫通孔が形成される。貫通孔及び凹溝には、抜け止め係止片が嵌め込まれる。これにより、吸込口本体と接続管とが、互いに回転可能に抜け止めされる。
【先行技術文献】
【特許文献】
【０００３】
【特許文献１】特開平２−３６８３０号公報
【発明の概要】
【発明が解決しようとする課題】
【０００４】
上記特許文献１に従来技術として記載されている抜け止め係止片は、正方向及び逆方向の両方向で貫通孔及び凹溝に嵌め込まれ得る。すなわち、抜け止め係止片が誤った向きに嵌め込まれる可能性がある。
【０００５】
本発明は、上記のような課題を解決するためになされたものである。本発明の目的は、本体及び継手を互いに回転可能に接続する抜止片が誤った向きで設けられることを防止することができる吸込具と、この吸込具を備えた電気掃除機と、を提供することである。
【課題を解決するための手段】
【０００６】
本発明に係る吸込具は、吸込口が形成された本体と、内部に風路を有する継手と、本体と継手とを互いに回転可能に接続させる抜止片と、を備える。本体は、吸込口に連通する第１円筒部を有する。継手は、第２円筒部を有する。第１円筒部及び第２円筒部は、一方が他方に挿入されている。この一方の円筒部は、外周に渡って形成される溝部を有する。他方の円筒部は、溝部に対向する貫通孔を含む孔部を有する。抜止片は、溝部に嵌め込まれた溝嵌合部及び孔部に嵌め込まれた孔嵌合部を有する。孔嵌合部は、抜止片が誤った向きで設けられることを防止する逆付防止部を有する。孔部には、逆付防止部が嵌め込まれる空間が形成されている。
【０００７】
本発明に係る電気掃除機は、上記の吸込具及び掃除機本体を備えるものである。
【発明の効果】
【０００８】
本発明に係る吸込具及び電気掃除機は、本体と継手とを互いに回転可能に接続させる上記の抜止片を有する。上記の抜止片は、孔部に嵌め込まれた孔嵌合部を有する。また孔嵌合部は抜止片が誤った向きで設けられることを防止する逆付防止部を有し、孔部には逆付防止部が嵌め込まれる空間が形成されている。これにより、本体及び継手を互いに回転可能に接続する抜止片が誤った向きで設けられることを防止することができる。
【図面の簡単な説明】
【０００９】
【図１】実施の形態１の吸込具を備えた電気掃除機の斜視図である。
【図２】実施の形態１の吸込具を示す前方斜視図である。
【図３】実施の形態１の吸込具を示す後方斜視図である。
【図４】実施の形態１の吸込具を示す平面図である。
【図５】実施の形態１の吸込具を示す底面図である。
【図６】実施の形態１の吸込具を示す正面図である。
【図７】実施の形態１の吸込具本体と継手と抜止片とを分解した状態を示す斜視図である。
【図８】実施の形態１の吸込具の継手が回転した状態を示す斜視図である。
【図９】実施の形態１の抜止片を示す斜視図である。
【図１０】実施の形態１の抜止片の表面を示す平面図である。
【図１１】実施の形態１の抜止片の裏面を示す底面図である。
【図１２】実施の形態１の抜止片を示す側面図である。
【図１３】実施の形態１の抜止片を孔部に嵌め込む状態を示す斜視図である。
【図１４】実施の形態１の抜止片示す斜視図である。
【図１５】実施の形態１の抜止片を孔部に嵌め込む状態を示す断面イメージ図である。
【図１６】実施の形態１の抜止片が孔部に嵌め込まれた状態を示す断面イメージ図である。
【図１７】実施の形態１の抜止片と回転規制部による回転規制を示す断面イメージ図である。
【図１８】実施の形態１の抜止片が孔部に対して逆向きに嵌め込まれようとしている状態を示す斜視図である。
【図１９】実施の形態１の抜止片の変形例を示す斜視図である。
【発明を実施するための形態】
【００１０】
以下、添付の図面を参照して、実施の形態について説明する。尚、各図における同一部分または相当部分には、同一の符号を付して、重複する説明を簡略化または省略する。
【００１１】
実施の形態１．
図１は、実施の形態１の吸込具を備えた電気掃除機の斜視図である。電気掃除機は、例えば掃除機本体１、吸引ホース２、接続パイプ３、ハンドル体４、延長管５及び吸込具６を備えている。
【００１２】
掃除機本体１は、例えば電動送風機及び集塵部を有する装置である。吸引ホース２、接続パイプ３、ハンドル体４及び延長管５は、それぞれ内部に風路を有する部品である。掃除機本体１には、吸引ホース２の一端が接続される。吸引ホース２の他端は、接続パイプ３及びハンドル体４を介し、延長管５の一端に接続される。延長管５の他端には、吸込具６が接続される。
【００１３】
本実施の形態の吸込具６は、吸込具本体７及び継手８を有する。吸込具本体７は、吸込具６の筐体に相当する部分である。継手８は、内部に風路を有する部品である。吸込具本体７は、継手８を介して延長管５に接続される。すなわち継手８は、吸込具本体７及び延長管５に接続される。本実施の形態において継手８は、先端部が吸込具本体７に、基端部が延長管５に接続される。
【００１４】
吸込具６は、空気と共に塵埃を吸い込む装置である。ここで、例えばゴミ、塵埃、毛髪、繊維等のように、吸込具６の清掃対象となる物質を総称して塵埃と表記することとする。吸込具６は、例えば被清掃物に付着した塵埃を吸い込む。本実施の形態の吸込具６の被清掃物は、例えばふとん及びシーツ等の軟質の物、あるいは床面等の硬質の物である。
【００１５】
以下、吸込具６について、図面を参照してより具体的に説明する。図２は、実施の形態１の吸込具６を示す前方斜視図である。図３は、実施の形態１の吸込具６を示す後方斜視図である。図４は、実施の形態１の吸込具６を示す平面図である。図５は、実施の形態１の吸込具６を示す底面図である。図６は、実施の形態１の吸込具６を示す正面図である。
【００１６】
本実施の形態の吸込具本体７は、例えば下ケース体９及び上ケース体１０を有する。ここで本実施の形態においては、吸込具本体７の中心に対して下ケース体９が位置している方向を下方向とする。また吸込具本体７の中心に対して上ケース体１０が位置している方向を上方向とする。すなわち下ケース体９は、吸込具本体７の下側を形成する部分である。上ケース体１０は、吸込具本体７の上側を形成する部分である。
【００１７】
また本実施の形態では、吸込具本体７の長手方向、すなわち下ケース体９及び上ケース体１０の長手方向を左右方向とする。また、吸込具本体７に対して継手８が設けられる方向を、後方向とする。使用時に、使用者が主に動かすことが想定される方向を前方向、すなわち正面方向とする。
【００１８】
下ケース体９は、使用時に被清掃物に対向する底面１１を有する。すなわち底面１１は、下ケース体９の下部を形成している。下ケース体９の底面１１には、塵埃を含んだ空気を吸い込むための吸込口１２が形成されている。
【００１９】
また下ケース体９は、一例として吸着防止リブ１３を有していてもよい。吸着防止リブ１３は、例えばふとん及びシーツ等の軟質の被清掃物が吸込口１２に吸着されることを防止するものである。本実施の形態の吸着防止リブ１３は、吸着防止部の一例である。
【００２０】
下ケース体９は、一例として図２、図５及び図６に示すように、複数の吸着防止リブ１３を有する。吸着防止リブ１３は、底面１１から下方に向けて突出するように形成される。吸着防止リブ１３は、例えば吸込口１２の前方に形成される。吸着防止リブ１３は、例えば左右方向に並んで配置される。
【００２１】
吸着防止リブ１３は、被清掃物と底面１１との間に隙間を形成する。吸着防止リブ１３は、被清掃物と吸込口１２との間に風路を形成する。これにより、吸着防止リブ１３は、被清掃物が吸込口１２に吸着されることを防止する。
【００２２】
また下ケース体９は、例えば高さ増加リブ１４を有していてもよい。高さ増加リブ１４は、例えば吸着防止リブ１３に並んで配置されている。高さ増加リブ１４は一例として、２つ形成される。２つの高さ増加リブ１４は、例えば吸着防止リブ１３の左方及び右方にそれぞれ配置される。高さ増加リブ１４は、例えば図６に示すように、吸着防止リブ１３よりも下方に突出している。
【００２３】
上ケース体１０は、例えば下ケース体９に対して着脱自在に形成されている。吸込具６は、一例として着脱レバー１５を備える。着脱レバー１５は、例えば図２から図５に示すように、上ケース体１０に設けられる。着脱レバー１５は、上ケース体１０を下ケース体９に対して着脱させる手段の一例である。使用者は、例えばこの着脱レバー１５を操作することによって、上ケース体１０を下ケース体９に対して自在に着脱させることができる。なお上ケース体１０は、本実施の形態以外にも、例えば下ケース体９と一体の部品として形成されていてもよい。
【００２４】
一例として上ケース体１０の後部には、レバー保持部１６が形成される。レバー保持部１６は、例えば２つ形成される。レバー保持部１６は、例えば上ケース体１０の後部の左側及び右側に形成される。吸込具６は、一例として２つの着脱レバー１５を備える。２つの着脱レバー１５は、それぞれこのレバー保持部１６に設けられる。
【００２５】
本実施の形態において着脱レバー１５は、上記のように、一例として上ケース体１０の後部に設けられる。なお着脱レバー１５は、例えば下ケース体９に設けられてもよい。またレバー保持部１６は、例えば上ケース体１０の最上部よりも低い位置となるように形成されてもよい。すなわち着脱レバー１５は、上ケース体１０の最上部よりも低い位置に配置されてもよい。
【００２６】
また上ケース体１０の上部には、吸込力調整孔１７が形成されていてもよい。吸込力調整孔１７は、上ケース体１０の上部を貫通している。吸込力調整孔１７は、吸込具６が空気を吸い込む力を調整するために設けられる。この吸込力調整孔１７によって、例えば空気を吸い込む力が過度に強くなることが防止される。これにより、例えばふとん及びシーツ等の軟質の被清掃物が吸込口１２に吸着されることが防止される。
【００２７】
また平面視において本実施の形態の吸込具本体７の前部は、一例として図４及び図５に示すように、円弧状に形成されている。すなわち下ケース体９及び上ケース体１０の前部は、平面視において円弧状である。なお、下ケース体９及び上ケース体１０の形状は、本例に限定されるものではない。
【００２８】
上述のように吸込具６は、内部に風路を有する継手８を備える。この継手８の先端部は、吸込具本体７の後部に接続される。本実施の形態の継手８は、継手円筒部１８を有する。継手円筒部１８は、円筒状の部分である。継手円筒部１８は、継手８の先端部に形成される。継手円筒部１８は、吸込具本体７の後部に接続される部分である。
【００２９】
また本実施の形態の吸込具６は、抜止片１９を備える。抜止片１９は、吸込具本体７と継手８とを互いに抜け止めされた状態で接続させる部品である。また抜止片１９は、吸込具本体７と継手８とを、互いに回転可能な状態で接続させる。抜止片１９は、例えば吸込具本体７の後部及び継手円筒部１８に嵌め込まれる。
【００３０】
図７は、実施の形態１の吸込具本体７と継手８と抜止片１９とを分解した状態を示す斜視図である。吸込具本体７は、継手８の継手円筒部１８に接続される部分である本体円筒部２０を有する。本体円筒部２０は円筒状の部位である。本体円筒部２０の内部には、風路が形成される。本体円筒部２０は、吸込口１２に連通している。
【００３１】
すなわち吸込具本体７の内部には、吸込口１２から本体円筒部２０にかけて風路が形成されている。吸込具６及びこの吸込具６を備えた電気掃除機は、吸込口１２から本体円筒部２０にかけて空気を吸引することによって、被清掃物の清掃を行う装置である。
【００３２】
本体円筒部２０は、例えば吸込具本体７の後部の中央部に形成される。また本実施の形態において本体円筒部２０は、一例として下ケース体９の一部として形成される。すなわち下ケース体９は、本体円筒部２０を有する。本体円筒部２０は、下ケース体９の後部の中央部に形成される。
【００３３】
本実施の形態において本体円筒部２０は、継手円筒部１８に挿入される。本体円筒部２０と継手円筒部１８とは、互いの中心軸が同軸上になるように配置される。すなわち、継手円筒部１８は、本体円筒部２０の外周に位置する。
【００３４】
本実施の形態の本体円筒部２０は、吸込口１２に連通する第１円筒部の一例である。また継手円筒部１８は、第２円筒部の一例である。なお継手円筒部１８及び本体円筒部２０は、一方が他方に挿入されていればよい。例えば継手円筒部１８は、本実施の形態以外にも、本体円筒部２０に挿入されてもよい。すなわち、継手円筒部１８は、本体円筒部２０の内周に位置していてもよい。
【００３５】
本体円筒部２０は、例えば図７に示すように溝部２１を有する。溝部２１は、本体円筒部２０の外周に渡って形成される。溝部２１は、本体円筒部２０の径方向外方に向かって凹状となっている部位である。溝部２１は、例えば本体円筒部２０の周方向に沿って形成される。溝部２１は、例えば本体円筒部２０の軸方向から見たときに環状になっている。
【００３６】
また継手円筒部１８は、例えば図７に示すように孔部２２を有する。本実施の形態の孔部２２は、一部に貫通孔２２ａを含む。貫通孔２２ａは、継手円筒部１８の径方向に沿って貫通している。貫通孔２２ａは、本体円筒部２０が継手円筒部１８に挿入された状態のとき、溝部２１に対向する。なお孔部２２は、少なくとも一部が貫通していればよい。例えば本実施の形態以外にも、孔部２２は全体が貫通している孔状の部位であってもよい。
【００３７】
本実施の形態の抜止片１９は、一例として、本体円筒部２０の軸方向から見たときに円弧状の形状になっている。抜止片１９は、一例として、継手円筒部１８及び本体円筒部２０の周方向に沿った形になっている。また抜止片１９は、溝部２１及び孔部２２の形状に合わせた形に形成される。
【００３８】
溝部２１及び孔部２２の形状に合わせた形の抜止片１９は、溝部２１及び孔部２２に嵌め込まれる。一例として抜止片１９は、一端側が溝部２１に、他端側が孔部２２に嵌め込まれる。例えば抜止片１９は、組み付けられる際、一端部が孔部２２の貫通孔２２ａを介して溝部２１に嵌め込まれる。抜止片１９の表面は、継手円筒部１８及び本体円筒部２０の径方向外方を向く。抜止片１９の裏面は、継手円筒部１８及び本体円筒部２０の径方向内方を向く。抜止片１９の側面は、継手円筒部１８及び本体円筒部２０の軸方向を向く。
【００３９】
溝部２１及び孔部２２に嵌め込まれた抜止片１９によって、吸込具本体７と継手８とは、互いに回転可能な状態で接続される。図８は、実施の形態１の吸込具６の継手８が回転した状態を示す斜視図である。本実施の形態の継手８は、一例として図８に示すように、継手８の基端部が吸込具本体７に対して水平左斜め後方に向くまで回転可能となっている。
【００４０】
また継手８は、例えば図８の状態から９０度回転した状態、すなわち基端部が吸込具本体７に対して水平左斜め後方に向くまで回転可能となっている。ここで、例えば図２から図６に示すように、継手８の基端部が左右方向に傾かずに斜め上後方に向いている状態を基準状態とする。継手８は、例えばこの基準状態から、左右方向にそれぞれ９０度ずつ回転可能に形成される。
【００４１】
吸込具６は、一例として図２から図５に示すように、抜止片１９を２つ備える。また継手円筒部１８は、例えば孔部２２を２つ有する。例えば基準状態において２つの孔部２２は、継手円筒部１８の右側と左側とに形成される。２つの孔部２２は、例えば互いに対向する位置に形成される。例えば基準状態において２つの孔部２２は、鉛直上方から継手円筒部１８の周方向左周りに９０度の位置と周方向右周り９０度の位置とで、それぞれ継手円筒部１８に形成される。２つの孔部２２には、それぞれ抜止片１９が嵌め込まれる。２つの抜止片１９は、互いに対向する位置に設けられる。なお抜止片１９及び孔部２２の数と位置とは、本例に限定されるものではない。
【００４２】
また上ケース体１０は、一例として、半円筒状の上接続部２３を有していてもよい。上ケース体１０は、一例として、後部の中央部に上接続部２３を有する。上接続部２３は、下ケース体９の本体円筒部２０を上方から覆う。上接続部２３は、本体円筒部２０とともに、継手８に接続される部位である。
【００４３】
本実施の形態において、レバー保持部１６は、上接続部２３に対して、吸込具本体７の長手方向外側に位置する。着脱レバー１５は、上接続部２３に対して、吸込具本体７の長手方向外側に配置される。
【００４４】
また上ケース体１０の後部には、例えば図３から図５に示すように、手掛部２４が形成されてもよい。使用者は、着脱レバー１５によって上ケース体１０を着脱させる際に、この手掛部２４を持って上ケース体１０を下ケース体９に対して着脱させることができる。
【００４５】
手掛部２４は、例えば上下方向に扁平な板状の部位である。板状の手掛部２４は、例えば左右方向、すなわち吸込具本体７の長手方向に伸びるように形成される。また手掛部２４は、例えば着脱レバー１５と上接続部２３との間に形成される。本実施の形態において手掛部２４は、上接続部２３に連なっている。
【００４６】
また吸込具本体７には、回転ブラシ２５及び車輪２６が設けられてもよい。回転ブラシ２５は、被清掃物に付着した塵埃をかき出すためのものである。また車輪２６は、回転ブラシ２５を回転させるためのものである。回転ブラシ２５と車輪２６とは、例えば歯車を介して接続される。
【００４７】
回転ブラシ２５は、例えば図５及び図６に示すように、一部が吸込口１２から吸込具本体７の外部へ露出するように設けられる。また車輪２６は、例えば図５及び図６に示すように、一部が底面１１から突出するように設けられる。
【００４８】
次に、抜止片、孔部の溝部の構成及び機能について、より具体的に説明する。図９は、実施の形態１の抜止片１９を示す斜視図である。図９（ａ）は、抜止片１９を表面側から見た斜視図である。図９（ｂ）は、抜止片１９を裏面側から見た斜視図である。
【００４９】
図１０は、実施の形態１の抜止片１９の表面を示す平面図である。図１１は、実施の形態１の抜止片１９の表面を示す平面図である。図１０及び図１１において、紙面上の左方向が抜止片１９の一端が向く方向である。図１０及び図１１において、紙面上の右方向が抜止片１９の他端が向く方向である。
【００５０】
また図１２は、実施の形態１の抜止片１９を示す側面図である。図１２において、紙面上の下方向が抜止片１９の一端が向く方向である。図１２において、紙面上の上方向が抜止片１９の他端が向く方向である。
【００５１】
図９から図１２に示すように、抜止片１９は溝嵌合部２７及び孔嵌合部２８を有する。溝嵌合部２７は、抜止片１９の一端側に形成される。溝嵌合部２７は、抜止片１９の一端から一定の範囲に形成される。孔嵌合部２８は、抜止片１９の他端側に形成される。孔嵌合部は、抜止片１９の他端から一定の範囲に形成される。溝嵌合部２７は、溝部２１に嵌め込まれる部分である。孔嵌合部２８は、孔部２２に嵌め込まれる部分である。
【００５２】
溝嵌合部２７及び孔嵌合部２８は、互いに連続している。溝嵌合部２７は、孔嵌合部２８の一端部に連続して形成される。孔嵌合部２８は、溝嵌合部２７に対して、継手円筒部１８及び本体円筒部２０の径方向外方に位置している。本実施の形態の抜止片１９は、溝嵌合部２７から孔嵌合部２８にかけて形成される段差２９を有する。
【００５３】
孔嵌合部２８は、抜止片１９が誤った向きで設けられることを防止する逆付防止部の一例として、フランジ部３０を有する。本実施の形態においてフランジ部３０は、図９から図１２に示すように、継手円筒部１８及び本体円筒部２０の軸方向に張り出すように形成される。すなわちフランジ部３０は、抜止片１９の側面が向く方向に張り出すように形成される。
【００５４】
またフランジ部３０は、孔嵌合部２８の他端部に形成される。フランジ部３０は、継手円筒部１８及び本体円筒部２０の軸方向に沿って、両方向に突出するように形成される。これにより孔嵌合部２８の他端部は、図９から図１２に示すように、Ｔ字型になっている。
【００５５】
また孔嵌合部２８は、例えば継手円筒部１８及び本体円筒部２０の径方向内方に向かって突出する突起部３１を有してもよい。突起部３１は、孔嵌合部２８の他端部に形成される。この突起部３１によって、抜止片１９はより嵌め込みやすくなる。また溝嵌合部２７には、例えば図９及び図１１に示すように、穴３２が形成されていてもよい。抜止片１９は、例えば樹脂によって成形される。穴３２によって、抜止片１９がより成形しやすくなる。
【００５６】
図１３は、実施の形態１の抜止片１９を孔部２２に嵌め込む状態を示す斜視図である。図１４は、実施の形態１の抜止片１９が孔部２２に嵌め込まれた状態を示す斜視図である。また図１５は、実施の形態１の抜止片１９を孔部２２に嵌め込む状態を示す断面イメージ図である。図１６は、実施の形態１の抜止片１９が孔部２２に嵌め込まれた状態を示す断面イメージ図である。
【００５７】
上述のように、継手円筒部１８は孔部２２を有する。また本実施の形態の孔部２２は、図１３に示すように、受部２２ｂを有する。受部２２ｂは、継手円筒部１８の径方向に沿って貫通していない部位である。受部２２ｂは、フランジ部３０を受ける部位である。受部２２ｂはフランジ部３０に対向する。
【００５８】
受部２２ｂは、板状の部位である。受部２２ｂの厚さは、継手円筒部１８のうちの孔部２２が形成されていない部位の厚さよりも小さい。フランジ部３０が嵌め込まれる空間は、受部２２ｂに対して、継手円筒部１８の径方向外方に形成される。この受部２２ｂが形成されていることによって、孔部２２には、フランジ部３０が嵌め込まれる空間から貫通孔２２ａにかけて段差が形成されている。
【００５９】
受部２２ｂは、孔嵌合部２８の他端部に形成されたフランジ部３０に合わせた形状に形成される。受部２２ｂは、例えば図１３に示すように、孔部２２のうち、継手円筒部１８の周方向一側の部分に形成される。抜止片１９は、この周方向一側に他端側が向くように、溝部２１及び孔部２２に嵌め込まれる。
【００６０】
すなわち抜止片１９は、例えば図１３及び図１５に示すように、フランジ部３０の位置と受部２２ｂの位置とが合う向きで、溝部２１及び孔部２２に嵌め込まれる。抜止片１９は、図１３及び図１４に示すように、フランジ部３０と受部２２ｂとの位置が合わせられた状態で、溝部２１及び孔部２２に嵌め込まれる。
【００６１】
また図１５及び図１６に示すように、本体円筒部２０は、回転規制部２０ａを有する。回転規制部２０ａは、溝部２１の途中に形成される。回転規制部２０ａは、溝部２１に連続して形成される。回転規制部２０ａは、本体円筒部２０の径方向外方に向かって突出している凸部である。回転規制部２０ａは、一例として図１５及び図１６に示すように、本体円筒部２０の下部に形成される。本実施の形態において回転規制部２０ａは、下方に突出している。
【００６２】
図１７は、実施の形態１の抜止片１９と回転規制部２０ａによる回転規制を示す断面イメージ図である。本実施の形態においては上述のように、また図１５及び図１６に示すように、基準状態において２つの孔部２２は、継手円筒部１８の右側と左側とに形成される。２つの孔部２２には、それぞれ抜止片１９が嵌め込まれる。
【００６３】
孔部２２から溝部２１にかけて嵌め込まれた抜止片１９は、継手円筒部１８とともに回転する。抜止片１９は、図１７に示すように、溝嵌合部２７が回転規制部２０ａに当たるまで回転することができる。溝嵌合部２７と回転規制部２０ａとが当たることにより、継手円筒部１８と本体円筒部２０との回転が規制される。すなわち、吸込具本体７と継手８との回転が規制される。
【００６４】
本実施の形態においては、図１６及び図１７に示すように、基準状態の継手円筒部１８の右側及び左側に嵌め込まれた抜止片１９と下方に突出する回転規制部２０ａとによって、吸込具本体７と継手８との回転が規制される。抜止片１９、孔部２２及び回転規制部２０ａは、一例として、継手８が吸込具本体７に対して１８０度の範囲で回転可能となるように、配置及び形成される。
【００６５】
また本実施の形態においては、図１７に示すように、溝嵌合部２７の他端部が回転規制部２０ａと当たる。言い換えると、抜止片１９、溝部２１、孔部２２及び回転規制部２０ａは、溝嵌合部２７から孔嵌合部２８にかけて形成される段差２９が回転規制部２０ａと当たるように形成される。
【００６６】
なお吸込具本体７と継手８との回転を規制する構造は本実施の形態に限定されない。例えば、抜止片１９と回転規制部２０ａとの当たり方は本実施の形態に限定されない。例えば抜止片１９の端部と回転規制部２０ａとが当たることによって、吸込具本体７と継手８との回転が規制されてもよい。また吸込具本体７に対して継手８が回転可能な範囲も同様に、本例に限られない。継手８が回転可能な範囲は、吸込具６の用途あるいは設計に応じて任意に設定される。
【００６７】
図１８は、実施の形態１の抜止片１９が孔部に対して逆向きに嵌め込まれようとしている状態を示す斜視図である。
【００６８】
本実施の形態において逆付防止部の一例であるフランジ部３０は、上記のように、孔嵌合部２８の他端部に形成される。これにより、孔嵌合部２８は、一端部側と他端部側とで異なる形状となっている。また本実施の形態において受部２２ｂは、孔部２２のうち、継手円筒部１８の周方向一側の部分に形成される。すなわちフランジ部３０が嵌め込まれる空間は、孔部２２のうち、継手円筒部１８の周方向一側の部分に形成される。孔部２２は、継手円筒部１８の周方向一側と他側とで異なる形状となっている。
【００６９】
孔部２２のうち、継手円筒部１８の周方向他側の部分には、フランジ部３０が嵌め込まれる空間は形成されていない。このため抜止片１９は、例えば図１８のように一端と他端とが逆向きになった状態では溝部２１及び孔部２２に嵌め込まれない。抜止片１９の一端と他端とが逆向きになっている時、フランジ部３０は、継手円筒部１８に当たって干渉することによって、抜止片１９が誤った向きで嵌め込まれることを妨げる。これにより、本実施の形態の吸込具６及び吸込具６を備えた電気掃除機であれば、抜止片１９が誤った向きで設けられることが防止される。
【００７０】
また抜止片１９が誤った向きで設けられることが防止されることによって、抜止片１９と回転規制部２０ａとは、設計通りに当たる。これにより、吸込具本体７と継手８との回転が、設計範囲で正しく規制される。また本実施の形態においては、溝嵌合部２７から孔嵌合部２８にかけて形成される段差２９が回転規制部２０ａと当たる。これにより、例えば抜止片１９の端部と回転規制部２０ａとが当たる場合に比べて、抜止片１９が誤って外れにくくなる。
【００７１】
なお孔部２２、孔嵌合部２８及びフランジ部３０は上記の実施例に限られない。孔部２２、孔嵌合部２８及びフランジ部３０の形状及び配置は、抜止片１９が誤った向きに設けられることを防止できる形状であれば、上記実施例以外でもよい。例えばフランジ部３０は、孔嵌合部２８の他端部に、継手円筒部１８の周方向に沿って突出するように形成されてもよい。またフランジ部３０は、例えば孔嵌合部２８の一端部に形成されていてもよい。また孔嵌合部２８は、フランジ部３０を有さず、一部が欠けた形状であってもよい。
【００７２】
上記の実施例においてフランジ部３０は、継手円筒部１８及び本体円筒部２０の軸方向に張り出すように形成される。これにより抜止片１９は、溝部２１及び孔部２２に嵌め込まれる際に使用者によって押される領域が広くなる。本実施の形態であれば、使用者は、抜止片１９をより嵌めやすくなる。
【００７３】
また図１９は、実施の形態１の抜止片１９の変形例を示す斜視図である。上記の実施例においてフランジ部３０は、継手円筒部１８及び本体円筒部２０の軸方向に沿って、両方向に突出するように形成されている。フランジ部３０は、例えば図１９に示すように、継手円筒部１８及び本体円筒部２０の軸方向に沿って、一方向に突出するように形成されてもよい。孔嵌合部２８の他端部は、図１９に示すようにＬ字型になっていてもよい。
【００７４】
孔嵌合部２８の他端部がＬ字型である場合には、抜止片１９の全体形状がより単純なものとなる。図１９に示す変形例であれば、抜止片１９が誤った向きで設けられることがより形成しやすい構造によって防止される。
【００７５】
また上記実施例のように孔嵌合部２８の他端部がＴ字型である場合には、Ｌ字型である場合よりも、使用者によって抜止片１９が押される領域が広くなる。これにより、抜止片１９は、嵌め込まれやすくなる。孔嵌合部２８の他端部がＴ字型である場合には、形成しやすい構造によって、より嵌め込まれやすく且つ誤った向きで設けられることのない抜止片１９が得られる。
【００７６】
上記実施例及び変形例以外にも、例えば孔嵌合部２８の他端部には、本体円筒部２０の軸方向に向かって円形に広がるフランジ部３０が形成されてもよい。円形に広がるフランジ部３０は、より使用者に押されやすい。本例であれば、抜止片１９がより嵌め込まれやすくなる。
【００７７】
また上記実施例において、孔部２２は、フランジ部３０に対向してフランジ部３０を受ける受部２２ｂを有している。これにより抜止片１９は、例えば継手円筒部１８の径方向外方から内方に向かう力を受けた際に、貫通孔２２ａを介して溝部２１に入り込むことがない。受部２２ｂによって、抜止片１９が溝部２１に落ち込むことが防止される。上記実施例であれば、抜止片１９が誤って外れてしまうことが防止される。
【符号の説明】
【００７８】
１  掃除機本体、  ２  吸引ホース、  ３  接続パイプ、  ４  ハンドル体、  ５  延長管、  ６  吸込具、  ７  吸込具本体、  ８  継手、  ９  下ケース体、  １０  上ケース体、  １１  底面、  １２  吸込口、  １３  吸着防止リブ、  １４  高さ増加リブ、  １５  着脱レバー、  １６  レバー保持部、  １７  吸込力調整孔、  １８  継手円筒部、  １９  抜止片、  ２０  本体円筒部、  ２０ａ  回転規制部、  ２１  溝部、  ２２  孔部、  ２２ａ  貫通孔、  ２２ｂ  受部、  ２３  上接続部、  ２４  手掛部、  ２５  回転ブラシ、  ２６  車輪、  ２７  溝嵌合部、  ２８  孔嵌合部、  ２９  段差、  ３０  フランジ部、  ３１  突起部、  ３２  穴
【図１】
2017184954.tif 000003
【図２】
2017184954.tif 000004
【図３】
2017184954.tif 000005
【図４】
2017184954.tif 000006
【図５】
2017184954.tif 000007
【図６】
2017184954.tif 000008
【図７】
2017184954.tif 000009
【図８】
2017184954.tif 000010
【図９】
2017184954.tif 000011
【図１０】
2017184954.tif 000012
【図１１】
2017184954.tif 000013
【図１２】
2017184954.tif 000014
【図１３】
2017184954.tif 000015
【図１４】
2017184954.tif 000016
【図１５】
2017184954.tif 000017
【図１６】
2017184954.tif 000018
【図１７】
2017184954.tif 000019
【図１８】
2017184954.tif 000020
【図１９】
2017184954.tif 000021